(57)【要約】【課題】シートバックの側面に回動軸を有し、装着されるアームレストの先端の長さが使用者の操作によって自動的に調節され得るようにして、アームレスト及び周辺装置の外観を美しく確保しながら、アームレストの便宜性を極大化させるようにしたアームレストの長さ増大装置を提供する。【解決手段】本発明によるアームレストの長さ増大装置は、アームレスト本体と；ブラケットに回動不可能に固定されて前記アームレスト本体の回動軸の役割をする固定ヒンジ軸と；アームレスト本体の端部にアームレスト本体の長手方向に沿って直線移動可能なように設けられたアームレスト延長部と；固定ヒンジ軸に対するアームレスト本体の回動によってアームレスト延長部をアームレスト本体に対して直線移動させる長さ延長手段と；を含んで構成される。【選択図】図１
2006021021.tif 000002
【特許請求の範囲】
【請求項１】
アームレスト本体と；
ブラケットに回動不可能に固定されて前記アームレスト本体の回動軸の役割をする固定ヒンジ軸と；
前記アームレスト本体の端部にアームレスト本体の長手方向に沿って直線移動可能なように設けられたアームレスト延長部と；
前記固定ヒンジ軸に対する前記アームレスト本体の回動によって前記アームレスト延長部を前記アームレスト本体に対して直線移動させる長さ延長手段と；を含んで構成されたことを特徴とするアームレストの長さ増大装置。
【請求項２】
前記長さ延長手段は、前記固定ヒンジ軸に固定された固定ベベルギヤと；
前記固定ベベルギヤに歯合されてアームレスト本体の長手方向に平行な回動軸を有する回転ベベルギヤと；
前記回転ベベルギヤの回動軸の役割をするように前記回転ベベルギヤと一体に連結されたスクリュを備えたリードスクリュと；
前記リードスクリュのナットを前記アームレスト延長部に連結する連結部材と；を含んで構成されたことを特徴とする請求項１に記載のアームレストの長さ増大装置。
【請求項３】
前記アームレスト延長部は、カップホルダからなることを特徴とする請求項１に記載のアームレストの長さ増大装置。
【請求項４】
前記アームレスト本体と前記アームレスト延長部との間には、２つの部品の間の隙間を覆うカバーが備えられたことを特徴とする請求項１に記載のアームレストの長さ増大装置。
【請求項５】
前記カバーは、両端がそれぞれ前記アームレスト本体と前記アームレスト延長部とに固定される伸縮性のある材質からなることを特徴とする請求項４に記載のアームレストの長さ増大装置。
【発明の詳細な説明】
【技術分野】
【０００１】
本発明は、アームレストの長さ増大装置に係り、より詳しくは、縦に立てられたアームレストを、使用のために横長方向に回動させた時、アームレストの先端が長くなるようにした装置に関する。
【背景技術】
【０００２】
車両シートの横に設けられるアームレストは、空間の活用の極大化のため、使用しない時はシートバック（ｓｅａｔｂａｃｋ）の横に垂直方向に立てて置き、使用するためには水平方向に回動させることができるようになっている場合が多い。上記のように回動可能に設けられるアームレストは、シートバックの側面に回動軸が固定され、シートバックの側面にはリクライナー（ｒｅｃｌｉｎｅｒ）などのような他の部品が共に装着されなければならず、垂直方向に立てられたアームレストの先端がシートバックの上端より突出することは好ましくないため、その長さが制限されるしかない。しかし、アームレストの便利な使用のためには、十分な長さが確保される必要がある。特に、アームレストの先端にカップホルダなどが備えられる場合には、使用者が楽な姿勢でカップホルダを利用するためにアームレストの十分な長さは必須である。
【特許文献１】特開２００１−３７５８１号公報
【発明の開示】
【発明が解決しようとする課題】
【０００３】
本発明の目的は、シートバックの側面に回動軸を有し、装着されるアームレストの先端の長さが使用者の操作によって自動的に調節され得るようにして、アームレスト及び周辺装置の外観を美しく確保しながら、アームレストの便宜性を極大化させるようにしたアームレストの長さ増大装置を提供することにある。
【課題を解決するための手段】
【０００４】
上記の目的を達成するため、本発明によるアームレストの長さ増大装置は、アームレスト本体と；ブラケットに回動不可能に固定されて前記アームレスト本体の回動軸の役割をする固定ヒンジ軸と；前記アームレスト本体の端部にアームレスト本体の長手方向に沿って直線移動可能なように設けられたアームレスト延長部と；前記固定ヒンジ軸に対する前記アームレスト本体の回動によって前記アームレスト延長部を前記アームレスト本体に対して直線移動させる長さ延長手段と；を含んで構成されたことを特徴とする。
【発明の効果】
【０００５】
本発明によるアームレストの長さ増大装置は、アームレストを水平状態に回動させる場合、アームレスト延長部が一定の長さだけ自動的に突出して出るようにすることにより、アームレストの全長が自動的に増大されるようになって使用者の便宜性を極大化させ、アームレストを垂直状態に回動させる場合には、自動的に全長が短くなるようにして収納性が良く外観を美しくできる。
【発明を実施するための最良の形態】
【０００６】
以下、本発明の実施例を添付図によって詳述する。
【実施例１】
【０００７】
図１及び図２に示すように、実施例１のアームレスト１００の長さ増大装置は、アームレスト本体１と；ブラケット３に回動不可能に固定されてアームレスト本体１の回動軸の役割をする固定ヒンジ軸５と；アームレスト本体１の端部にアームレスト本体１の長手方向に沿って直線移動可能なように設けられたアームレスト延長部７と；固定ヒンジ軸５に対するアームレスト本体１の回動によってアームレスト延長部７をアームレスト本体１に対して直線移動させる長さ延長手段とを含んで構成される。ブラケット３は、シートバック（図示せず）に固定されて固定ヒンジ軸５を支持するものである。
【０００８】
本実施例では、長さ延長手段は、固定ヒンジ軸５に固定された固定ベベルギヤ（ｂｅｖｅｌ  ｇｅａｒ：傘歯車）９と、固定ベベルギヤ９に歯合されてアームレスト本体１の長手方向に平行な回動軸を有する回転ベベルギヤ１１と、回転ベベルギヤ１１の回動軸の役割をするように回転ベベルギヤ１１と一体に連結されたスクリュ１３を備えたリードスクリュ１４（ｌｅａｄｓｃｒｅｗ）と、リードスクリュ１４のナット１５をアームレスト延長部７に連結する連結部材１７とを含んで構成される。
【０００９】
リードスクリュ１４は、スクリュ１３とナット１５とから構成され、スクリュ１３の回転によってナット１５がスクリュ１３上から直線移動するようになっており、スクリュ１３はアームレスト本体１の内部に設けられた支持台１９によって回転可能に支持されている状態である。
【００１０】
本実施例では、アームレスト延長部７をカップホルダとして構成し、使用者の便宜性を向上させるようにした。一方、アームレスト本体１とアームレスト延長部７との間には２つの部品の間の隙間を覆うためにカバー２１を備え、本実施例ではカバー２１を両端がそれぞれアームレスト本体１とアームレスト延長部７とに固定される伸縮性のある材質によって構成した。従って、アームレスト延長部７がアームレスト本体１に対して直線移動する時、アームレスト延長部７とアームレスト本体１との間で変化する隙間は外部に現われない。
【００１１】
次に、上記のように構成された本発明の実施例の作用について説明する。
【００１２】
図１は、アームレスト１００を垂直方向に立てて置いた収納状態を示すものである。図２は、アームレストを水平方向にした使用状態を示すものである。アームレスト本体１を固定ヒンジ軸５に対して回動させることにより、図１の状態と図２の状態とが切替えられる。勿論、上記のようにアームレスト本体１を垂直状態と水平状態との間で切替えることは、使用者が手で操作することもできるが、別途のモータなどを使用して自動的に行われるようにすることもできる。
【００１３】
図１の状態から、アームレスト本体１を水平状態に回動させれば、回転ベベルギヤ１１は、固定ヒンジ軸５に一体に固定されている固定ベベルギヤ９によって回転されるようになる。回転ベベルギヤ１１の回転力は、リードスクリュ１４に直接伝達されて、ナット１５がスクリュ１３の回転によって直線移動するようになり、ナット１５の直線移動は連結部材によってアームレスト延長部７に伝達される。アームレスト延長部７は、図２に示す状態のように、車両の前方に向けて延長されるようになり、この時に発生するアームレスト延長部７とアームレスト本体１との間の隙間は、カバー２１によって隠される。従って、使用者は、上記のように長さが延長されたアームレスト１００を便利に使用することができ、本実施例のようにアームレスト延長部７がカップホルダとして構成された場合には、カップホルダを楽な姿勢で使用することができる利点を享受することができる。
【００１４】
勿論、図２のように使用状態にあったアームレスト１００を図１の状態に回動させれば、回転ベベルギヤ１１が逆回転しながら、ナット１５がアームレスト延長部７と共に回転ベベルギヤ１１側に移動することにより、アームレスト１００の全長が短くなってアームレスト１００は収納が容易な状態になる。
【産業上の利用可能性】
【００１５】
本発明は、伸縮可能な車両のアームレストとして適用できる。
【図面の簡単な説明】
【００１６】
【図１】本発明によるアームレストの長さ増大装置の内部構造を示す斜視図で、垂直方向に収納された状態を示す図面である。
【図２】本発明によるアームレストの長さ増大装置の内部構造を示す斜視図で、水平状態を示す図面である。
【符号の説明】
【００１７】
１    アームレスト本体
３    ブラケット
５    固定ヒンジ軸
７    アームレスト延長部
９    固定ベベルギヤ
１１    回転ベベルギヤ
１３    スクリュ
１４    リードスクリュ
１５    ナット
１７    連結部材
１９    支持台
２１    カバー
１００    アームレスト
【図１】
2006021021.tif 000003
【図２】
2006021021.tif 000004